【手続補正書】
【提出日】平成17年1月4日(2005.1.4)
【手続補正１】
【補正対象書類名】明細書
【補正対象項目名】発明の名称
【補正方法】変更
【補正の内容】
【発明の名称】血流動態解析装置及び方法
【手続補正２】
【補正対象書類名】明細書
【補正対象項目名】特許請求の範囲
【補正方法】変更
【補正の内容】
【特許請求の範囲】
【請求項１】
コンピュータ断層像撮影手段で撮影した被検体の断層像を入力する断層像入力手段と、前記断層像における各画素ごとに画素値の時間変化情報を取り出す手段と、各画素ごとに取り出した時間変化情報からノイズを除去するノイズ除去手段を有し、各画素ごとにノイズ除去した時間変化情報に基づいて血流動態を解析する演算手段と、からなる血流動態解析装置において、
前記ノイズ除去手段は、各画素ごとに取り出された時間変化情報に基づいて該時間変化情報から導かれるパラメータを算出するパラメータ算出手段と、前記算出したパラメータに対応する画像フィルタを選択するフィルタ選択手段とを有し、画素ごとに画像フィルタを選択してスムージング処理を行うことを特徴とする血流動態解析装置。
【請求項２】
前記フィルタ選択手段は、前記パラメータと、前記画像フィルタとを対応付けて記憶するルックアップテーブルを有し、前記算出したパラメータに基づいて前記ルックアップテーブルから対応する画像フィルタを選択することを特徴とする請求項１の血流動態解析装置。
【請求項３】
コンピュータ断層像撮影手段で撮影した被検体の断層像を入力する断層像入力手段と、前記断層像における各画素ごとに画素値の時間変化情報を取り出す手段と、各画素ごとに取り出した時間変化情報の周波数空間でのノイズを除去するノイズ除去手段を有し、各画素ごとにノイズ除去した時間変化情報に基づいて血流動態を解析する演算手段と、からなる血流動態解析装置において、
前記ノイズ除去手段は、各画素ごとに取り出された時間変化情報に基づいて高周波数領域制御フィルタの形状を決定するフィルタ形状決定手段を有し、画素ごとに高周波数領域制御フィルタを決定してフィルタリング処理を行うことを特徴とする血流動態解析装置。
【請求項４】
コンピュータ断層像撮影手段で撮影した被検体の断層像の入力を受付ける工程と、前記断層像における各画素ごとに画素値の時間変化情報を取り出す工程と、各画素ごとに取り出された時間変化情報に基づいて該時間変化情報から導かれるパラメータを算出する工程と、前記算出したパラメータに対応する画像フィルタを選択するフィルタ選択工程と、前記フィルタ選択工程により選択された画素ごとの画像フィルタに基づいてスムージング処理を行なうことにより、各画素ごとに取り出した時間変化情報からノイズを除去する工程と、前記ノイズを除去する工程により各画素ごとにノイズ除去した時間変化情報に基づいて血流動態を解析する演算工程と、を含むことを特徴とする血流動態解析方法。
【請求項５】
コンピュータ断層像撮影手段で撮影した被検体の断層像の入力を受付ける断層像入力工程と、前記断層像における各画素ごとに画素値の時間変化情報を取り出す工程と、各画素ごとに取り出された時間変化情報に基づいて高周波数領域制御フィルタの形状を決定するフィルタ形状決定工程と、画素ごとに高周波数領域制御フィルタを決定してフィルタリング処理を行うことにより各画素ごとに取り出した時間変化情報の周波数空間でのノイズを除去する工程と、前記ノイズを除去する工程により各画素ごとにノイズ除去した時間変化情報に基づいて血流動態を解析する演算工程と、を含むことを特徴とする血流動態解析方法。
【手続補正３】
【補正対象書類名】明細書
【補正対象項目名】０００１
【補正方法】変更
【補正の内容】
【０００１】
【発明の属する技術分野】
本発明は、血流動態解析装置及び方法に係り、特にＸ線や電磁波を用いて被検体の断層像から血流動態の情報を得る血流動態解析装置及び方法に関する。
【手続補正４】
【補正対象書類名】明細書
【補正対象項目名】００１５
【補正方法】変更
【補正の内容】
【００１５】
本発明はこのような事情に鑑みてなされたもので、断層像から血流動態の情報を得る場合に、機能画像の分解能を必要以上に低下させることなく、かつ良好にノイズを除去することができる血流動態解析装置及び方法を提供することを目的とする。
【手続補正５】
【補正対象書類名】明細書
【補正対象項目名】００１６
【補正方法】変更
【補正の内容】
【００１６】
【課題を解決するための手段】
請求項１に係る血流動態解析装置は、コンピュータ断層像撮影手段で撮影した被検体の断層像を入力する断層像入力手段と、前記断層像における各画素ごとに画素値の時間変化情報を取り出す手段と、各画素ごとに取り出した時間変化情報からノイズを除去するノイズ除去手段を有し、各画素ごとにノイズ除去した時間変化情報に基づいて血流動態を解析する演算手段と、からなる血流動態解析装置において、前記ノイズ除去手段は、各画素ごとに取り出された時間変化情報に基づいて該時間変化情報から導かれるパラメータを算出するパラメータ算出手段と、前記算出したパラメータに対応する画像フィルタを選択するフィルタ選択手段とを有し、画素ごとに画像フィルタを選択してスムージング処理を行うことを特徴としている。
請求項２に係る血流動態解析装置は、前記フィルタ選択手段は、前記パラメータと、前記画像フィルタとを対応付けて記憶するルックアップテーブルを有し、前記算出したパラメータに基づいて前記ルックアップテーブルから対応する画像フィルタを選択することを特徴とする。
【手続補正６】
【補正対象書類名】明細書
【補正対象項目名】００１７
【補正方法】変更
【補正の内容】
【００１７】
請求項３に係る血流動態解析装置は、コンピュータ断層像撮影手段で撮影した被検体の断層像を入力する断層像入力手段と、前記断層像における各画素ごとに画素値の時間変化情報を取り出す手段と、各画素ごとに取り出した時間変化情報の周波数空間でのノイズを除去するノイズ除去手段を有し、各画素ごとにノイズ除去した時間変化情報に基づいて血流動態を解析する演算手段と、からなる血流動態解析装置において、前記ノイズ除去手段は、各画素ごとに取り出された時間変化情報に基づいて高周波数領域制御フィルタの形状を決定するフィルタ形状決定手段を有し、画素ごとに高周波数領域制御フィルタを決定してフィルタリング処理を行うことを特徴とする。
【手続補正７】
【補正対象書類名】明細書
【補正対象項目名】００１８
【補正方法】変更
【補正の内容】
【００１８】
請求項４に記載の血流動態解析方法は、コンピュータ断層像撮影手段で撮影した被検体の断層像の入力を受付ける工程と、前記断層像における各画素ごとに画素値の時間変化情報を取り出す工程と、各画素ごとに取り出された時間変化情報に基づいて該時間変化情報から導かれるパラメータを算出する工程と、前記算出したパラメータに対応する画像フィルタを選択するフィルタ選択工程と、前記フィルタ選択工程により選択された画素ごとの画像フィルタに基づいてスムージング処理を行なうことにより、各画素ごとに取り出した時間変化情報からノイズを除去する工程と、前記ノイズを除去する工程により各画素ごとにノイズ除去した時間変化情報に基づいて血流動態を解析する演算工程と、を含むことを特徴とする。
また、請求項５に係る血流動態解析方法は、コンピュータ断層像撮影手段で撮影した被検体の断層像の入力を受付ける断層像入力工程と、前記断層像における各画素ごとに画素値の時間変化情報を取り出す工程と、各画素ごとに取り出された時間変化情報に基づいて高周波数領域制御フィルタの形状を決定するフィルタ形状決定工程と、画素ごとに高周波数領域制御フィルタを決定してフィルタリング処理を行うことにより各画素ごとに取り出した時間変化情報の周波数空間でのノイズを除去する工程と、前記ノイズを除去する工程により各画素ごとにノイズ除去した時間変化情報に基づいて血流動態を解析する演算工程と、を含むことを特徴とする。
【手続補正８】
【補正対象書類名】明細書
【補正対象項目名】００２１
【補正方法】変更
【補正の内容】
【００２１】
【発明の実施の形態】
以下添付図面に従って本発明に係る血流動態解析装置及び方法の好ましい実施の形態について詳説する。
【手続補正９】
【補正対象書類名】明細書
【補正対象項目名】００３３
【補正方法】変更
【補正の内容】
【００３３】
【数２】
2003225234.tif 000001
ここで、ｇａｖ（ｔ）は、ｇ（ｔ）の平均値を表す。[数２]式により算出されるＳＤ値を、時間−濃度曲線のＳＤ値と定義する。
【手続補正１０】
【補正対象書類名】明細書
【補正対象項目名】００５０
【補正方法】変更
【補正の内容】
【００５０】
【発明の効果】
以上説明したように本発明に係る血流動態解析装置及び方法によれば、血流動態の情報を得る場合に、機能画像の分解能を必要以上に低下させることなく、画素毎に最適な画像フィルタを選択してスムージング処理を行なうことができる。